(57)【要約】【課題】  厳密な調整を必要とせず、大きさが近い原稿を識別する。【解決手段】  主走査方向に複数画素の読み取り素子を有し、該読み取り素子を原稿と相対的に副走査方向に移動させることで主走査方向および副走査方向の二次元の読み取りを実行して画像データを生成する画像読み取り手段104と、前記画像読み取り手段の前記読み取り素子での前記原稿の主走査方向の読み取り結果を参照し、原稿サイズ検知の制御を行う制御手段101と、補正値を記憶する記憶手段105と、を備え、前記制御手段は、調整時には、原稿サイズの誤検知を生じやすい位置にサイズ検知基準マークが付された調整チャートを前記画像読み取り手段で読み取った結果からサイズ検知補正値を求め、このサイズ検知補正値を前記記憶手段に格納しておき、画像読み取り時には、前記サイズ検知補正値を用いて、前記画像読み取り手段で読み取った結果を補正しつつ原稿のサイズ検知を行う。【選択図】  図１
2006020030.tif 000002
【特許請求の範囲】
【請求項１】
原稿の画像を読み取って画像データを生成すると共に、読み取った原稿のサイズを検出する画像読み取り装置であって、
主走査方向に複数画素の読み取り素子を有し、該読み取り素子を原稿と相対的に副走査方向に移動させることで主走査方向および副走査方向の二次元の読み取りを実行して原稿の画像を読み取って画像データを生成する画像読み取り手段と、
前記画像読み取り手段の前記読み取り素子での前記原稿の主走査方向の読み取り結果を参照し、原稿サイズ検知の制御を行う制御手段と、
補正値を記憶する記憶手段と、を備え、
前記制御手段は、調整時には、原稿サイズの誤検知を生じやすい位置にサイズ検知基準マークが付された調整チャートを前記画像読み取り手段で読み取った結果からサイズ検知補正値を求め、このサイズ検知補正値を前記記憶手段に格納しておき、
画像読み取り時には、前記サイズ検知補正値を用いて、前記画像読み取り手段で読み取った結果を補正しつつ原稿のサイズ検知を行う、
ことを特徴とする画像読み取り装置。
【請求項２】
前記制御手段は、調整時には、調整基準マークが付された調整チャートを前記画像読み取り手段で読み取った結果から片寄り補正、倍率補正、傾き補正等のスキャナ補正値を求め、これらのスキャナ補正値を適用した状態で、前記サイズ検知補正値を求める、
ことを特徴とする請求項１記載の画像読み取り装置。
【発明の詳細な説明】
【技術分野】
【０００１】
本発明は、原稿の画像を読み取って画像データを生成すると共に、読み取った原稿のサイズを検出する画像読み取り装置に関する。
【背景技術】
【０００２】
原稿の画像を読み取って画像データを生成すると共に、読み取った原稿のサイズを検出するスキャナなどの画像読み取り装置が存在している。また、画像読み取り装置を内蔵し、原稿の画像を読み取って画像データを生成すると共に、読み取った原稿のサイズを検出して、画像形成する記録紙サイズの選択（オートペーパーセレクト（ＡＰＳ））を行う複写機などの画像形成装置も存在している。
【０００３】
この種の画像読み取り装置、あるいは、画像読み取り装置を内蔵した画像形成装置では、主走査方向に複数画素の固体撮像素子などの読み取り素子を有しており、該読み取り素子を原稿と相対的に副走査方向に移動させることで、主走査方向および副走査方向の二次元の読み取りを実行している。
【０００４】
そして、原稿載置ガラスの上に載置された原稿を読み取る際には、画像データを得るための本スキャンに先立ってプリスキャンを実行し、このプリスキャンによって、原稿サイズの検出や原稿濃度の検出などを行っている。
【０００５】
この原稿サイズの検出の際には、基本的には、主走査方向の読み取り結果と副走査方向の読み取り結果とによって行われる。この場合、副走査方向の読み取り結果については、プラテンカバーなどに設けられた段階的な反射材の読み取り結果から大まかな値を参照しており、主走査方向については読み取り素子の読み取り結果から詳細な値を参照するようにしている。
【０００６】
ただし、Ａ４Ｒサイズ（２１０mm×２９７mm）の原稿と、レターＲサイズ（２１５．９mm×２７９．４mm）の原稿とでは、副走査方向の段階的な反射材の読み取り結果では識別できないため、主走査方向の５．９mmの違いを精度よく識別するしかなかった。
【０００７】
なお、原稿サイズの検出に関しては、以下の特許文献１に主走査方向の読み取り結果に基づいて行うことが記載されている。
【特許文献１】特開平１１−７５０２５号公報（第１頁、図１、図４）
【発明の開示】
【発明が解決しようとする課題】
【０００８】
従来の画像読み取り装置では、工場出荷時に、テストチャートを読み取ることで、原稿の片寄り補正や歪み補正などを行っている。このため、原稿の片寄りや歪みなどについては、一応の補正がなされているものの、若干の誤差が残差として残されている。
【０００９】
ここで、上述したように、Ａ４ＲとレターＲサイズとは主走査方向に５．９mmしか違わないため、主走査方向の検出が５．９mm／２＝２．９５mmずれただけで、誤検知となってしまう問題を有している。
【００１０】
このような誤検知をなくすためだけに、画像読み取り装置の調整を厳密に行うようにする、すなわち残差を０に近づけるように調整するとなると、調整に手間がかかりすぎ、装置のコストが上昇するという別の問題が生じてくることになる。
【００１１】
本発明は、以上のような課題を解決するためになされたものであって、厳密な調整を必要とせず、大きさが近い原稿を識別することが可能な画像読み取り装置を提供することを目的とする。
【課題を解決するための手段】
【００１２】
以上の課題を解決する本発明は、以下に記載するようなものである。
（１）請求項１記載の発明は、原稿の画像を読み取って画像データを生成すると共に、読み取った原稿のサイズを検出する画像読み取り装置であって、主走査方向に複数画素の読み取り素子を有し、該読み取り素子を原稿と相対的に副走査方向に移動させることで主走査方向および副走査方向の二次元の読み取りを実行して原稿の画像を読み取って画像データを生成する画像読み取り手段と、前記画像読み取り手段の前記読み取り素子での前記原稿の主走査方向の読み取り結果を参照し、原稿サイズ検知の制御を行う制御手段と、補正値を記憶する記憶手段と、を備え、前記制御手段は、調整時には、原稿サイズの誤検知を生じやすい位置にサイズ検知基準マークが付された調整チャートを前記画像読み取り手段で読み取った結果からサイズ検知補正値を求め、このサイズ検知補正値を前記記憶手段に格納しておき、画像読み取り時には、前記サイズ検知補正値を用いて、前記画像読み取り手段で読み取った結果を補正しつつ原稿のサイズ検知を行う、ことを特徴とする画像読み取り装置である。
【００１３】
この画像読み取り装置では、調整時には、原稿サイズの誤検知を生じやすい位置にサイズ検知基準マークが付された調整チャートを用意し、この調整チャートを画像読み取り手段で読み取った結果からサイズ検知補正値を求め、このサイズ検知補正値を記憶手段に格納しておき、画像読み取り時には、記憶手段内のサイズ検知補正値を用いて、画像読み取り手段で読み取った結果を補正しつつ原稿のサイズ検知を行う。
【００１４】
（２）請求項２記載の発明は、前記制御手段は、調整時には、調整基準マークが付された調整チャートを前記画像読み取り手段で読み取った結果から片寄り補正、倍率補正、傾き補正等のスキャナ補正値を求め、これらのスキャナ補正値を適用した状態で、前記サイズ検知補正値を求める、ことを特徴とする請求項１記載の画像読み取り装置である。
【００１５】
この画像読み取り装置では、調整基準マークが付された調整チャートを画像読み取り手段で読み取った結果から片寄り補正、倍率補正、傾き補正等のスキャナ補正値を求め、これらのスキャナ補正値を適用した状態で、上述したサイズ検知補正値を求める。
【発明の効果】
【００１６】
本発明によると以下のような効果が得られる。
（１）請求項１記載の発明では、原稿の画像を読み取って画像データを生成すると共に、読み取った原稿のサイズを検出する際に、調整時には、原稿サイズの誤検知を生じやすい位置にサイズ検知基準マークが付された調整チャートを用意し、この調整チャートを画像読み取り手段で読み取った結果からサイズ検知補正値を求めて記憶手段に格納しておき、画像読み取り時には、記憶手段内のサイズ検知補正値を用いて、画像読み取り手段で読み取った結果を補正しつつ原稿のサイズ検知を行う。
【００１７】
このように、原稿サイズの誤検知を生じやすい位置にサイズ検知基準マークが付された調整チャート読み取った結果からサイズ検知補正値を求めておいて、サイズ検知補正値を用いて補正しつつ原稿のサイズ検知を行うことで、全体として厳密な調整を必要とせず、画像読み取り時に大きさが近い原稿を識別することが可能になる。
【００１８】
（２）請求項２記載の発明は、調整基準マークが付された調整チャートを画像読み取り手段で読み取った結果から片寄り補正、倍率補正、傾き補正等のスキャナ補正値を求め、これらのスキャナ補正値を適用した状態にしてから、上述したサイズ検知補正値を求める。
【００１９】
このように片寄り補正、倍率補正、傾き補正等のスキャナ補正を実行（適用）した状態にしてからサイズ検知補正値を求めることで、これらスキャナ補正によって補正しきれなかった残差の成分を有効に除去しつつサイズ検知補正を実行することが可能になり、全体として厳密な調整を必要とせず、画像読み取り時に大きさが近い原稿を識別することが可能になる。
【発明を実施するための最良の形態】
【００２０】
以下、図面を参照して本発明を実施するための最良の形態（以下、実施形態）を詳細に説明する。なお、原稿読み取り手段（スキャナ）により原稿の内容を画像情報として読み取って画像データを生成して出力する画像読み取り装置であっても、また、原稿読み取り手段（スキャナ）により複写対象物（原稿）の内容を画像情報として読み取って複写する機能を備えた画像形成装置（複写装置）であっても、本発明の実施形態を適用することが可能である。
【００２１】
なお、この実施形態では、原稿の画像を読み取って画像データを生成すると共に、読み取った原稿のサイズを検出する機能を備えた画像読み取り装置、また、原稿の画像を読み取って画像データを生成すると共に、読み取った原稿のサイズを検出して、画像形成する記録紙サイズの選択（オートペーパーセレクト（ＡＰＳ））を行う複写機などの画像形成装置を対象としている。
【００２２】
〈画像読み取り装置を含む画像形成装置の機械的構成〉
まず、図２を参照して画像形成装置の機械的構成を説明する。なお、ここでは、画像読み取り装置を内蔵しており、原稿の画像を読み取って画像形成する複写機を本実施形態の具体例として用いる。
【００２３】
この図２において、１０は自動原稿給送手段（以下、ＡＤＦと言う）であり、原稿の両面を読み取るための給紙を行う手段である。２０は原稿を光学的にスキャンして読み取って画像データを生成する画像読み取り部（スキャナ）である。４０は画像データに応じた露光用光ビームを生成する画像書き込み部である。５０は画像データを静電方式により記録媒体（転写紙あるいは記録紙と言うが、本願明細書では、記録紙という）ｐ上に記録する画像形成部である。６０は記録紙の搬送を行う搬送手段である。
【００２４】
ここで、原稿の両面給送が可能なＡＤＦ１０の原稿載置部１１には、原稿第１頁の表面を上にした状態の原稿ｄが複数枚載置されている。ローラ１２ａ、ローラ１２ｂを介して繰り出された原稿の１枚目はローラ１３を介して回転される。
【００２５】
この時、光源２３により原稿ｄの原稿面が照射され、その反射光がミラー２４，２５，２６を介して結像光学系２７を介して光電変換手段であるＣＣＤ（請求項における読み取り素子）２８の受光面に像を結ぶ。ここで、光源２３、ミラー２４，２５，２６、結像光学系２７及びＣＣＤ２８を有する光学系、並びに、図示されていない光学系駆動手段とで画像読み取り部２０を構成している。
【００２６】
この図において、原稿ｄがプラテンガラス２１上に読み取り面を下に向けた状態に載置された場合には、光学系はプラテンガラス２１に沿って走査して読み取りを行う。
また、原稿ｄが自動給紙されてローラ１３の周囲を回る場合には、第２のプラテンガラス２２下に光源２３とミラー２４とが固定された状態で読み取りを行う。そして、読み取られた原稿ｄの画像データは、ＣＣＤ２８から図示しない読み取り画像処理部に送られる。
【００２７】
なお、原稿ｄがＡＤＦ１０により自動給送される場合には、原稿ｄの１ページ目が読み取られると、今度は反転ローラ１４を介して再度ローラ１３を用いた巻き取り操作が行われ、原稿裏面の画像が画像読み取り部２０で読み取られ、読み取り画像処理部に送られる。
【００２８】
このようにして、表面と裏面との画像が読み取られた原稿ｄは、再度反転ローラ１４で反転されて、表面を下に向けた状態で排紙皿１６に積載されていく。
このようにして画像読み取り部２０で読み取られた画像データは、読み取り画像処理部で所定の画像処理が行なわれた後、圧縮伸長回路で圧縮されて画像メモリに記憶される。
【００２９】
一方、記録紙ｐが積載されている給紙トレイ３０ａ〜３０ｃのいずれかから、第一給紙ローラ３１ａ〜３１ｃにより記録紙ｐが繰り出され、画像形成部５０に給送される。
画像形成部５０に給送される記録紙ｐは、その入口付近の第二給紙ローラ（レジストローラ）３２で同期がとられた後、像担持体となる感光体ドラム５１に近接する。
【００３０】
記録画像処理部から画像書き込み部４０に画像データが入力され、画像書込み部４０内のレーザダイオードから画像データに応じたレーザ光を感光体ドラム５１上に照射し、静電潜像を形成する。この静電潜像を現像部５３で現像することで、感光体ドラム５１上にトナー像を形成する。
【００３１】
このトナー像は感光体ドラム５１の下部の転写部５４により記録紙ｐに転写される。そして、感光体ドラム５１に圧着されている記録紙ｐは分離部５５により分離される。感光体ドラム５１から分離された記録紙ｐは搬送機構５８を介して定着部５９に入り、トナー像が熱と圧力とにより定着される。このようにして、記録紙ｐに画像が形成される。
【００３２】
なお、必要に応じて、トナー像が定着された記録紙ｐは、ガイド６１を介して下方に搬送され、反転部６３に入る。次に、反転部６３に入っている記録紙ｐは、反転ローラ６２により再度繰り出され、反転搬送路６４を経由して再度画像形成部５０に送られる。前記原稿ｄの片面の画像形成が終了した画像形成部５０では、感光体ドラム５１に付着したトナーがクリーニング部５６で除去され、続く帯電部５２により帯電させられ、次の画像形成に備えている。
【００３３】
この状態で記録紙ｐのもう一方の面（未だ画像形成されていない面）が画像形成部５０に搬入され、画像が形成される。分離部５５で感光体ドラム５１から分離された記録紙ｐは搬送機構５８を介して再度定着部５９に入って定着される。このようにして、裏面と表面との画像形成が完了した記録紙ｐ、または、一方の面の画像形成が完了した記録紙ｐは排出される。
【００３４】
〈画像読み取り装置を含む画像形成装置の電気的構成〉
図１は本発明の第１の実施形態の画像形成装置内の詳細構成を示すブロック図である。なお、この図１では、本実施形態の動作説明に必要な部分の周囲を中心に記載してあり、その他の画像形成装置として既知の部分については省略してある。
【００３５】
１００はネットワーク１を介してコンピュータから得た画像データあるいは内蔵するスキャナ（請求項における画像読み取り手段、あるいは、画像読み取り装置）で読み取って生成した画像データについて画像形成による出力を行う機能を有する画像形成装置である。
【００３６】
なお、この画像形成装置１００は、原稿の主走査方向の読み取り結果を参照し、原稿サイズ検知の制御を行う機能を有する。
また、この画像形成装置１００は、読み取りの調整時には、原稿サイズの誤検知を生じやすい位置にサイズ検知基準マークが付された調整チャートをスキャナで読み取った結果からサイズ検知補正値を求め、このサイズ検知補正値を前記記憶手段に格納する制御を行う機能を有する。
【００３７】
また、この画像形成装置１００は、読み取りの調整時には、調整基準マーク（片寄り調整基準マーク）が付された調整チャートをスキャナで読み取った結果から片寄り補正、倍率補正、傾き補正等のスキャナ補正値を求め、これらのスキャナ補正値を適用した状態で、サイズ検知補正値を求める機能を有する。また、前記サイズ検知補正値は、前記片寄り補正、傾き補正、倍率補正等のスキャナ補正値から求めてもよい。
【００３８】
また、この画像形成装置１００は、画像読み取り時（スキャン時）には、サイズ検知補正値を用いて、読み取った画像データを補正しつつ原稿のサイズ検知を行う機能を有する。なお、これら各種の機能は制御手段としての制御部１０１が有する。
【００３９】
また、この画像形成装置１００は、  読み取りの調整時には、片寄り調整基準マークが付された調整チャートを前記画像読み取り手段で読み取った結果から片寄り補正、倍率補正、傾き補正等のスキャナ補正値を求め、これらのスキャナ補正値を適用した状態で、サイズ検知補正値を求める機能を有する。
【００４０】
また、画像形成装置１００において、１０１は各部を制御する制御手段としての制御部、１０２はネットワーク１を介した通信を行う通信手段としてのインタフェース（Ｉ／Ｆ）、１０３は装置の各種操作の入力がなされると共に各種表示を行う操作表示部、１０４は原稿画像を読み取って画像データを生成するスキャナ、１０５は画像形成装置１００の各種データや設定値を保持・蓄積しておくためのテーブルとしての不揮発性メモリ、１０７は画像形成する際の画像データの展開や各種データの一時的な保管を行うための半導体メモリあるいはハードディスクなどのメモリ、１０８は画像を記録紙上に形成して出力するプリント手段としてのプリントエンジンである。
【００４１】
なお、ここで、不揮発性メモリ１０５は、本実施形態においては、サイズ検知補正値やスキャナ補正値を記憶（格納）する記憶手段を構成している。
また、図１において、制御部１０１は、画像形成その他全体的な制御を行うＣＰＵ１０１ａと、画像処理を行う画像処理部１０１ｂと、パスワードメモリの記憶内容を参照することで操作表示部１０３からの操作者のユーザ名及びパスワードの入力により操作者を認証する操作者認証部１０１ｄと、操作者別あるいは共通のジョブメモリデータを管理するジョブメモリ管理部１０１ｅと、を備えている。
【００４２】
また、メモリ１０７は、画像処理の際の画像データを展開する画像メモリ１０７ａと、操作者認証部１０１ｄとジョブメモリ管理部１０１ｅとの両方により参照されるパスワード情報が記憶されているパスワードメモリ１０７ｃと、ジョブメモリデータを格納するジョブメモリ１０７ｄと、を備えて構成されている。なお、上記メモリ１０７について、パスワードメモリ１０７ｃと、ジョブメモリ１０７ｄとは、不揮発性メモリ上に配置することも可能である。ここで、「ジョブメモリ」とは、画像形成ジョブを登録しておくためのメモリである。
【００４３】
また、このネットワーク１に接続された画像形成装置１００は、複写機だけでなく、ファクシミリ装置、ディジタル複合機などの各種の装置が該当する。また、プリントエンジン１０８は、感光体とレーザビームとを用いる電子写真方式のもののほか、ＬＥＤプリントヘッドを用いるものや、インクジェット方式のものであってもよい。
【００４４】
〈第一の実施形態の動作状態〉
以下、第一の実施形態の画像形成装置の動作について、図３のフローチャートおよび図４のフローチャートならびに図５の調整チャートの説明図を参照して、詳細な動作説明を行う。
【００４５】
以上のような画像形成装置において、図３のフローチャートを参照して、調整時の動作説明を行う。
なお、この図３のフローチャートは、制御部１０１で動作しているスキャナ制御プログラム中でコールされるものであり、スキャナ調整時にコールされるスキャナ調整プログラムの動作状態を示している。このスキャナ調整は、画像読み取り装置または画像形成装置の工場出荷時などの調整時、あるいは、サービスマンによるメンテナンス時の調整時などに実行される。また、このスキャナ調整プログラムは、特定のキー入力あるいは特定のモード指定によって起動する。
【００４６】
このスキャナ調整プログラムが起動すると、制御部１０１は各補正値を初期化する（図３Ｓ３０１）。ここで、この各補正値としては、片寄り補正、倍率補正、傾き補正等のためのスキャナ補正値、サイズ検知補正のためのサイズ検知補正値などが該当する。
【００４７】
ここで、片寄り補正とは、プラテンガラス２１の所定位置に原稿を載置した場合であっても、ＣＣＤ２８の取り付けや結像光学系２７の取り付けや収差などによって、ＣＣＤ２８で読み取られた画像に片寄りが生じた場合に必要となる補正である。このような片寄りが生じた場合には、スキャナ補正値に基づいたＣＣＤ２８での読み取りタイミングの電気的な補正により、片寄りを補正（解消）するようにしている。
【００４８】
また、ここで、サイズ検知補正とは、上述したようにＡ４ＲとレターＲサイズ等のように主走査方向が極めて近い値の原稿サイズを正確に識別できるように、原稿サイズの誤検知を生じやすい位置にサイズ検知基準マークが付された調整チャートを読み取って得た結果（検知サイズ）と実際のサイズとの差からサイズ検知補正値を求め、このサイズ検知補正値を用いて、読み取った結果を補正しつつ正確な原稿のサイズ検知を行うようにすることを意味している。
【００４９】
そこで、画像形成装置１００のスキャナ１０４にて、片寄り調整基準マークが付された調整チャートをスキャンする（図３Ｓ３０２）。このため、片寄り調整基準マークが付された調整チャートを載置してからスタートボタンを押下するようにと、制御部１０１が操作表示部１０３にメッセージを表示する。
【００５０】
図５は片寄り調整基準マークとサイズ検知基準マークとが付された調整チャートの一例を示す説明図である。この図５に示す例では、スキャナ１０４の読み取り最大サイズ（たとえば、Ａ３サイズ）の大きさの調整チャートであり、片寄り調整基準マークとして、基準マーク#1〜基準マーク#4が四隅に設けられている。
【００５１】
また、サイズ検知基準マークとして、基準マーク#5が、原稿サイズの検知を行う副走査方向位置Ｙ５付近であって、原稿サイズの誤検知を生じやすい主走査方向位置Ｘ５付近に設けられている。
【００５２】
ここで、原稿サイズの検知を行う副走査方向位置Ｙ５とは、原稿サイズの検知を行う際にＣＣＤ２８が読み取りを行う副走査方向位置を意味している。また、原稿サイズの誤検知を生じやすい主走査方向位置Ｘ５とは、たとえば、Ａ４Ｒサイズ（２１０mm×２９７mm）の原稿と、レターＲサイズ（２１５．９mm×２７９．４mm）の原稿とを主走査方向の長さで識別するのであれば、約２１０mmとなる。なお、基準マーク#5としては、原稿サイズの誤検知を生じやすい原稿がＡ４Ｒとレターサイズ以外に存在していれば、破線で示すように、複数の基準マーク#5を設けることが望ましい。すなわち、誤検知を生じやすいサイズの組み合わせ毎に、サイズ検知基準マークを設けることが望ましい。
【００５３】
ここで、制御部１０１は、読み取って得た調整チャートの基準マーク#1〜基準マーク#4の主走査方向位置と、基準マーク#1〜基準マーク#4の本来の正しい主走査方向位置とを比較して、片寄り量を求め、その片寄り量に応じたスキャナ補正値を算出する（図３Ｓ３０３）。図５の例では、（Ｘ1＋Ｘ3）／２−Ｘorgにより片寄り量が算出されるため、この片寄り量（mm）と、ＣＣＤ２８の画素密度Ａ（素子／mm）とを乗じることで、何素子分の読み取りタイミングをずらすようにするかといったスキャナ補正値を得ることができる。同様に、（（Ｘ4−Ｘ3）＋（Ｘ2−Ｘ1））／２／ＸSizeorgで、倍率補正量を求める。
【００５４】
なお、このスキャナ補正値が適正な範囲であるかを制御部１０１が判定する（図３Ｓ３０４）。ここで、スキャナ補正値が適正な範囲とは、通常の状態で製造された画像形成装置で予想される片寄り量に基づくスキャナ補正値を意味している。
【００５５】
すなわち、スキャナ補正値が適正な範囲でなければ、スキャナ１０４が適正な状態にないか、あるいは、測定や演算に誤りが生じたか、などが想定されるため、制御部１０１は警告表示（図３Ｓ３０５）を操作表示部１０３などにして、この調整作業を終了する。
【００５６】
また、スキャナ補正値が適正な範囲であれば、制御部１０１はスキャナ補正値を不揮発性メモリ１０５に記憶すると共に、ＣＣＤ２８の読み取りタイミングの補正として適用し、本スキャンにおいては片寄り量が生じないようにする（図３Ｓ３０６）。
【００５７】
なお、基準マーク#1〜基準マーク#4のそれぞれの間の距離の読み取り結果を使用して、片寄り補正以外に、各種歪み補正を行うことも可能である。たとえば、基準マーク#1と基準マーク#3との差を利用して傾きを求めることができる。なお、傾きが検出された場合には、必要に応じてスキャナ１０４について機械的な調整を施す。
【００５８】
ここで、片寄り補正、倍率補正等のスキャナ補正を適用した状態で、再び調整チャートをスキャンするか、あるいは、Ｓ３０２でスキャンして得た画像データに画像処理により片寄り補正、倍率補正等のスキャナ補正を施し、基準マーク#5の主走査方向位置と、基準マーク#5の本来の正しい主走査方向位置とを比較して、サイズ検知補正値を得る（図３Ｓ３０７）。
【００５９】
また、片寄り補正、倍率補正等のスキャナ補正を適用した状態で再度調整チャートをスキャンし、その時の基準マーク#1〜#4の位置から、例えば、主走査の傾きθを求めサイズ検知補正値として記憶し、実際のサイズ検知時にcosθを乗じて補正してもよい。
【００６０】
なお、実際には、誤検知を生じやすいサイズの組み合わせ毎（Ａ４ＲとレターＲなど）に必要に応じて複数のサイズ検知基準マークが設けられているため、サイズ検知基準マーク毎（誤検知を生じやすいサイズの組み合わせ毎）に、サイズ検知補正値ＤNを算出する。そして、制御部１０１はサイズ検知補正値ＤNを不揮発性メモリ１０５に記憶して、以上のスキャナ調整プログラムの動作を終了する。すなわち、ｎ個のサイズ検知基準マークが存在している場合には、サイズ検知補正値ＤNとしては、Ｘ5_1〜Ｘ5_nに対応してｎ個のＤ1〜Ｄnが存在することになる。
【００６１】
なお、以上の説明では、スキャナ補正値の取得とサイズ検知補正値の取得とを連続して実行したが、別のスキャナ調整プログラムとして分けて実行してもよい。その場合も、スキャナ補正値を先に取得して、片寄り補正などのスキャナ補正を実行した状態でサイズ検知補正値の取得を行う。また、傾き補正などを実行する場合も、傾き補正実行後に、サイズ検知補正値の取得を行う。
【００６２】
また、以上の説明では、サイズ検知補正値の取得を自動的に装置側で行う場合を示したが、この部分を手動で実行することも可能である。すなわち、片寄り補正などのスキャナ補正が適用された後に、調整チャートをスキャンして得た画像データを画像形成して出力する。このようにして画像形成（複写）された調整チャートを、オペレータがスケールで計測し、その計測結果、あるいは、本来の値との差を、操作表示部１０３から入力する。このようにして操作表示部１０３から入力された値を参照して、制御部１０１がサイズ検知補正値の取得を行うことも可能である。
【００６３】
つぎに、以上のような画像形成装置において、図４のフローチャートを参照して、画像読み取り時の動作説明を行う。
なお、この図４のフローチャートは、制御部１０１で動作している複写プログラム（画像読み取りを伴う画像形成プログラム）中でコールされるものであり、原稿の画像を読み取って画像データを生成すると共に、読み取った原稿のサイズを検出して、画像形成する記録紙サイズの選択（オートペーパーセレクト（ＡＰＳ））を行う複写時の動作状態を示している。なお、ここでは、原稿ｄがプラテンガラス２１上に読み取り面を下に向けた状態に載置された状態の複写動作について説明を行う。
【００６４】
この複写プログラムが起動すると、プラテンガラス２１上に読み取り面を下に向けた状態に載置された状態の原稿について、制御部１０１の指示により、光学系はプラテンガラス２１に沿って走査してプリスキャンの読み取りを行う（図４Ｓ４０１）。
【００６５】
このプリスキャンは、画像形成する記録紙サイズの自動選択（ＡＰＳ）のためにスキャンした原稿のサイズを検出するため、また、複写濃度自動調整のために原稿の濃度分布を得るため、などの理由で実行される。
【００６６】
ここで、制御部１０１は実行中の複写動作がＡＰＳを伴うものかを判断し（図４Ｓ４０２）、ＡＰＳを伴わない複写動作であれば（図４Ｓ４０２でＮ）濃度自動調整のために濃度判定を行う（図４Ｓ４０９）。
【００６７】
また、ここで、制御部１０１の判断により、ＡＰＳを伴なう複写動作であれば（図４Ｓ４０２でＹ）、制御部１０１は、プリスキャンして得た画像データから、原稿の幅（主走査方向の長さ）Ｘapsを取得する（図４Ｓ４０３）。実際には、制御部１０１内のＣＰＵ１０１ａと画像処理部１０１ｂとで画像データからＸapsを取得する処理を実行する。
【００６８】
前述した調整プログラムにおいてサイズ検知補正値ＤNがｎ個存在していることがあるため、制御部１０１はＮをｎとして（図４Ｓ４０４）、先ほど取得したＸapsについて、Ｘ5_Nと比較を行う（図４Ｓ４０５）。
【００６９】
なわち、制御部１０１は、先ほど取得したＸapsが、Ｘ5_N−α〜Ｘ5_N＋αの範囲に含まれるかを判別する。ここで、αはＸ5_Nの１０％〜１５％程度の値であると好ましい。すなわち、Ｘ_5Nの±αの範囲にＸapsが含まれれば（図４Ｓ４０５でＹ）、Ｘapsは誤検知を生じやすいためにサイズ検知基準マーク２０５が設けられた近傍のサイズの原稿であると判断される。
【００７０】
また、Ｘ_5Nの±１０％程度の範囲にＸapsが含まれなければ（図４Ｓ４０５でＮ）、Ｎを１減じて（図４Ｓ４０６）、Ｎが０になるまで（図４Ｓ４０７）繰り返し、Ｘ_5Nの±αの範囲にＸapsが含まれるかを比較する（図４Ｓ４０４）。
【００７１】
このようにして、ｎ個のサイズ検知基準マークについてのＸ5_NとＸapsとの比較を行い、Ｘ_5Nの±αの範囲にＸapsが含まれれば（図４Ｓ４０５でＹ）、Ｘapsは誤検知を生じやすいためにサイズ検知基準マーク２０５が設けられた近傍のサイズの原稿であるため、プリスキャンによって得られたＸapsをサイズ検知補正値ＤNで補正して、補正済みのＸ’aps＝Ｘaps＋ＤNを得る（図４Ｓ４０８）。
【００７２】
また、このようにしてｎ個のサイズ検知基準マークについてのＸ5_NとＸapsとの比較を行ったものの、全てのＸ_5Nの±αの範囲にＸapsが含まれなければ（図４Ｓ４０５でＮ、Ｓ４０７でＹ）、Ｘapsは誤検知を生じやすいサイズの原稿ではないため、サイズ検知補正値ＤNによる補正は行わない。
【００７３】
このようにして補正されたＸ’apsあるいは補正が不要なＸapsにより、制御部１０１と画像処理部１０１ｂとで原稿サイズの判定を行う（図４Ｓ４０９）。
図６は原稿サイズの判定基準の一例を示す説明図である。ここで、紙幅はプラテンガラス２１上に載置した場合の読み取り主走査方向の長さを意味し、同じく紙の長さは副走査方向の長さを意味している。なお、この図６では、画像形成装置の読み取り密度を１５．７５dot／mmとした場合の紙幅（ｄｏｔ）を、原稿サイズ判定の際のしきい値としている。なお、ＰＳ１とＰＳ２とは、副走査方向の大きさを、おおまかに判別するためのセンサの検知結果を示している。
【００７４】
この場合、Ａ４ＲサイズとレターＲサイズが５．９mm（９３ドット）しか差がなく、極めて近似した幅となっており、ＰＳ１とＰＳ２とで検知結果に差が生じていない。また、Ａ４サイズとレターサイズが１７．６mm（２７７ドット）しか差がなく、ある程度近似した幅となっており、ＰＳ１とＰＳ２とで検知結果に差が生じていない。
【００７５】
このような近似した幅の原稿であっても、以上のように、原稿サイズの誤検知を生じやすい位置にサイズ検知基準マークが付された調整チャート読み取った結果からサイズ検知補正値を求めておいて、サイズ検知補正値を用いて補正しつつ原稿のサイズ検知を行うことで、全体として厳密な調整を必要とせず、画像読み取り時に大きさが近い原稿を識別することが可能になる。
【００７６】
そして、制御部１０１は、原稿サイズ判定に続いて濃度自動調整のために濃度判定をプリスキャンの画像データの濃度分布に基づいて行う（図４Ｓ４０９）。
以上のようにしてプリスキャンに基づく原稿サイズ判定（図４Ｓ４０９）と読み取り濃度判定（図４Ｓ４１０）とが終了した時点で、プラテンガラス２１上に読み取り面を下に向けた状態に載置された状態の原稿について、制御部１０１の指示により、光学系はプラテンガラス２１に沿って走査して本スキャンの読み取りを行う（図４Ｓ４０１）。そして、この本スキャンの読み取りによってスキャナ１０４は画像データを生成する（図４Ｓ４１２）。そして、制御部１０１は、この画像データをジョブ毎にジョブメモリ１０７ｄに格納する。
【００７７】
さらに、制御部１０１は、ジョブメモリ１０７ｄに格納された画像データについて、原稿サイズ判定によって決定された原稿サイズと複写倍率とに応じた記録紙を選択し、プリントエンジン１０８にて画像形成を実行する（図４Ｓ４１３）。
【００７８】
以上説明したように、原稿サイズの誤検知を生じやすい位置にサイズ検知基準マークが付された調整チャート読み取った結果からサイズ検知補正値を求めておいて、サイズ検知補正値を用いて補正しつつ原稿のサイズ検知を行うことで、全体として厳密な調整を必要とせず、画像形成時に大きさが近い原稿を識別することが可能になる。
【００７９】
また、以上のように、片寄り補正などのスキャナ補正を実行（適用）した状態にしてからサイズ検知補正値を求めることで、スキャナ補正によって補正しきれなかった残差の成分を有効に除去しつつサイズ検知補正を実行することが可能になり、全体として厳密な調整を必要とせず、画像形成時に大きさが近い原稿を識別することが可能になる。
【００８０】
なお、以上の実施形態の説明では、読み取りと画像形成とを行う複写の動作を説明したが、画像形成を行わず、読み取りと原稿サイズ判定とを行う画像読み取り動作においても良好な効果が得られる。たとえば、単体で動作する画像読み取り装置、あるいは、ネットワークに接続されたネットワーク・スキャナなどが該当する。
【００８１】
すなわち、以上のように、原稿サイズの誤検知を生じやすい位置にサイズ検知基準マークが付された調整チャート読み取った結果からサイズ検知補正値を求めておいて、サイズ検知補正値を用いて補正しつつ原稿のサイズ検知を行うことで、全体として厳密な調整を必要とせず、画像読み取り時に大きさが近い原稿を識別することが可能になる。
【００８２】
また、以上のように片寄り補正などのスキャナ補正を実行（適用）した状態にしてからサイズ検知補正値を求めることで、スキャナ補正によって補正しきれなかった残差の成分を有効に除去しつつサイズ検知補正を実行することが可能になり、全体として厳密な調整を必要とせず、画像読み取り時に大きさが近い原稿を識別することが可能になる。
【００８３】
なお、以上の実施形態では、米国で使用されるレターＲサイズと国際的なＡ４Ｒサイズとを近いサイズの具体例として示したが、他の国で使用されるサイズでも同様な状態になるものがあれば、本実施形態を適用して良好な結果を得ることができる。
【図面の簡単な説明】
【００８４】
【図１】本発明の実施形態の画像形成装置の電気的な構成を示す機能ブロック図である。
【図２】本発明の実施形態の画像形成装置の機械的な構成を示す構成図である。
【図３】本発明の実施形態の画像形成装置の動作を示すフローチャートである。
【図４】本発明の実施形態の画像形成装置の動作を示すフローチャートである。
【図５】本発明の実施形態の調整チャートの一例を示す説明図である。
【図６】本発明の実施形態の原稿サイズ判定の様子を示す説明図である。
【符号の説明】
【００８５】
１００  画像形成装置
１０１  制御部
１０１ａ  ＣＰＵ
１０２  インタフェース
１０３  操作表示部
１０４  スキャナ
１０５  不揮発性メモリ
１０７  メモリ
１０８  プリントエンジン
【図１】
2006020030.tif 000003
【図２】
2006020030.tif 000004
【図３】
2006020030.tif 000005
【図４】
2006020030.tif 000006
【図５】
2006020030.tif 000007
【図６】
2006020030.tif 000008